(57)【特許請求の範囲】
【請求項１】
ロープ(1)の両端に着脱自在に配設固定した回転子(2)それぞれに、連結用部材(3)を一つずつ回動可能に相互接続した構造であって、回転子(2)はロープ(1)の先端を挿入するための中空部(8)と、該ロープ(1)先端を着脱自在に挿着する固定手段を有し、連結用部材(3)には複数の接続孔(4)と、ペットボトルと該部材(3)を着脱自在に一体化することができる一体化手段を設け、回転子(2)と各接続孔(4)が着脱自在に枢着可能となるための係止手段と構造が回転子(2)と該部材(3)に具備され、各接続孔(4)は、該部材(3)に一体化されたペットボトルの中心軸(M)に対してロープおよび回転子の中心軸(N)が各接続孔(4)でなす角度(L)の値が、２つ以上の異なる値を生ずるような該部材(3)上の任意の部位に設けられ、そのうちの一つに回転子(2)を着脱自在に枢着固定することによって、ロープ(1)両端に連結用部材(3)を一つずつ着脱自在に枢着固定し、該部材(3)それぞれにペットボトル(11)を一つずつ連結一体化することによってロープ(1)とその両端のペットボトル(11)が回動自在に係合連結され、使用者が回転子(2)を枢着固定する接続孔(4)を一つ選択する毎に該角度(L)の値が異なる接続孔(4)を選択して使用すれば、選択前後においてペットボトル(11)に対してロープ(1)がなす角度(L)が変化するため、使用者が該部材(3)に連結されたペットボトル(11)を両手に握持して両腕の回転負荷運動を行う際、それに連動して旋回するロープ(1)がなす該角度(L)の変更、調節および維持が可能となるが、該角度(L)変更後もロープ(1)を円滑に旋回させ続けるためにはそれに応じて運動中の手首の角度や向きを変更したり両腕の回転幅を増減させる必要があり、それに伴って使用者が運動中に収縮させる筋肉部位の組み合わせも変更前後で変わるため、結果として使用者の身体に及ぼす力学的作用が異なる複数種運動からの選択実施が可能となることを特徴とする、ペットボトル運動相補用旋回ロープ。 
【請求項２】
ロープ(1)の両端に着脱自在に配設固定した回転子(2)それぞれに、連結用部材(3)を一つずつ、回動可能に相互接続した構造であって、回転子(2)はロープ(1)の先端を挿入するための中空部と、該ロープ(1)先端を着脱自在に挿着する固定手段を有し、ペットボトルを着脱自在に一体化することができる一体化手段を有する連結用部材(3)は球体把持部(3d)と、球体部(20)に一体化された回転子係止部材(3c)を伴って構成され、回転子係止部材(3c)には一つだけ接続孔(4)を設け、回転子(2)と接続孔(4)が着脱自在に枢着可能となるための係止手段と構造が回転子(2)と回転子係止部材(3c)に具備され、回転子(2)が着脱自在に枢着可能な接続孔(4)を設けた回転子係止部材(3c)と一体の球体部(20)を該部材(3)の球体把持部(3d)で傾動自在に保持し、球体把持部(3d)には回転子係止部材(3c)の球体部を押止固定するための押止手段(23)を設け、接続孔(4)に回転子(2)を着脱自在に枢着固定することによって、ロープ(1)両端に連結用部材(3)を一つずつ着脱自在に枢着固定し、該部材(3)それぞれにペットボトル(11)を一つずつ連結一体化することによってロープ(1)とその両端のペットボトル(11)が回動自在に係合連結され、回転子係止部材(3c)の球体部を球体把持部(3d)の押止手段(23)で押止することにより、接続孔(4)を有する回転子係止部材(3c)を任意の回動角に固定できるため、ペットボトルの中心軸(M)に対してロープおよび回転子の中心軸(N)がなす角度(L)を変更、調節および維持することが可能となり、その結果、使用者の身体に及ぼす力学的作用が異なる複数種運動からの選択実施が可能となることを特徴とする、ペットボトル運動相補用旋回ロープ。 
【請求項３】
ロープ(1)の両端に着脱自在に配設固定した回転子(2)それぞれに、連結用部材(3)を一つずつ、回動可能に相互接続した構造であって、回転子(2)はロープ(1)の先端を挿入するための中空部と、該ロープ(1)先端を着脱自在に挿着する固定手段を有し、回転子(2)を着脱自在に枢着可能な接続孔(4)を一つ設けた連結用部材(3)に固着された円環帯状の弾性体(24)が該部材(3)とペットボトル(11)を着脱自在に連結するための一体化手段として働き、回転子(2)と接続孔(4)が着脱自在に枢着可能となるための係止手段と構造が回転子(2)と該部材(3)に具備され、接続孔(4)に回転子(2)を着脱自在に枢着固定することによってロープ(1)の両端に該部材(3)を一つずつ着脱自在に枢着固定し、弾性体(24)をペットボトルの任意の部位に巻着することによって、ロープ(1)の両端にペットボトル(11)を一つずつ回動自在に係合連結し、この時、弾性体(24)をペットボトルの側面から底面に巻着して該部材(3)をペットボトルのキャップ(9)上に被せる場合と、弾性体(24)をペットボトルの側面のみに巻着して該部材(3)も同じくペットボトルの側面に圧接させる場合とでは、ペットボトルの中心軸に対してロープおよび回転子の中心軸がなす角度に大きな差が生じるため、ペットボトルを両手で一つずつ握持してトレーニングを行う際に上記２つの場合を交互に行えば、該角度を大きく変更して使用することが可能で、その結果、使用者の身体に及ぼす力学的作用が異なる運動の選択実施が可能となることを特徴とする、ペットボトル運動相補用旋回ロープ。 
【請求項４】
ペットボトルを着脱自在に連結可能な構造を有する連結用部材(3)一対に連結固定したペットボトル(11)を、使用者が左右両手に握持して両腕を回転運動させることにより、該部材(3)間に枢着連結されたロープ(1)を、使用者が実施可能な任意の方向や空間に旋回させることが可能であり、ロープ(1)の長さを調節することにより、使用者の前方、後方、上方、周囲にロープ(1)を旋回させながら胸筋、背筋、上腕、上半身各部の運動が行えて、その際に旋回するロープ(1)の働きにより、ペットボトルで負荷を加えた両手の回転運動が左右連関的かつ周期的な筋肉収縮運動へと誘導されるため、時間的に無規則な反復負荷運動とは異なる健康効果を得られ、さらに使用者が両腕の回転負荷運動とタイミングを合わせて跳躍運動を行うことによって、ロープ(1)を使用者の前後上下を結ぶ円周上に旋回させて行う縄跳び運動と、左右連関的かつ周期的な両手の回転負荷運動を同時に行うことも可能であり、その際にペットボトルの中心軸(M)とロープおよび回転子の中心軸(N)がなす角度(L)の値によっては、従来の手首回転を重視した縄跳び運動の枠にとどまらない、腕全体や肩の回転による広範囲な上半身運動が含まれた縄跳び運動を行うことが可能であり、その結果使用者は一度に複数種類の運動効果を並行して得ることができる、請求項１から３のいずれかに記載のペットボトル運動相補用旋回ロープ。 
【発明の詳細な説明】
【技術分野】
【０００１】
本発明は、ロープの両端に配設した連結用部材に液体を入れたペットボトルを一つずつ取り付けて、両手でペットボトルを一つずつ握持して両腕を回転させ、ペットボトルの動きに連動して旋回するロープのタイミングに合わせて両腕の動作を相互調節することによって、「ペットボトルを使って行うトレーニング運動」が左右連関的かつ周期的に行え、旋回するロープの軌道次第で、並行して同時に縄跳び運動をすることも可能にした、ペットボトル運動相補用旋回ロープに関するものである。
【背景技術】
【０００２】
今日、エアロビクス、ジョギング、縄跳び等の有酸素運動やダンベルによる筋力トレーニング等の無酸素運動は広く一般に行われている。またそのために、従来、多くの身体鍛錬方法や運動器具が提案されている。その一つに、ダンベルによる筋力トレーニングと同種の効果を手軽に得ることができる方法として、ペットボトルと呼ばれる、ポリエチレンテレフタレート樹脂で成形されたボトル容器に液体を入れ、ダンベルの代用品として腕や上半身の筋力トレーニングに使用することは、手軽にできるエクササイズとして広く一般的に行われている。しかし例えば、ペットボトルを両手で握持して左右の腕のトレーニングを行う場合、従来のやり方においては、「左右の腕の運動が、ある目的のために明確に連関しているとは限らない」ため、両手の運動のタイミングについては明確に意識せずに、単に同時あるいは交互に行うか、それぞれの動作を自由に行うことが多く、言うなれば、身体の部分的な筋肉を鍛錬するための、単純な反復運動の域を出なかった。また、この種のトレーニングは「無味乾燥で、飽きやすく、長続きしない」傾向があった。しかし、あるルールにそって、両腕を動かす運動を行い続けると、前頭前野が活性化する。（前頭前野の血液量が増加する）。これを毎日行うと、前頭前野が活性化して身体症状や精神症状が改善される。
また、メリーランド大学のJill Whitall氏らの研究（非特許文献１）には、両腕で同時にリズム運動（筋肉の収縮と弛緩を周期的に繰り返す運動）を行い続けると、脳の新たな部位の神経筋経路が活性化されるとある。また、運動者がトレーニング運動で身体のある部位を動かす際、「自分が動かしている」という感覚（動作主感覚）が大きいほど、感覚運動統合を行うと考えられている領域が活動することが知られており（非特許文献２）、こうした領域が随意運動（意識的に行う運動）に重要であると言われている（非特許文献３）。また、リズム運動を行うと、「交感神経」と「副交感神経」のバランスが整えられる効果もある。よって、もし「液体の入ったペットボトルを使用して両手で行うトレーニング」を「両腕の動作をもっと意識的に連関させて行う必要性のある運動」に改善し、かつ当該運動を「リズム運動」として手軽に行える方法があったならば、当該運動を行うと同時に、「脳や筋肉および神経等の協働性を養うトレーニング」も並行して行うことができる。また従来、「液体を入れたペットボトルを使って行うトレーニング運動」を、規則正しい周期やペースで敏速に行い続けるためには、時計類を見ながら、あるいは意識してそのように動作をし続ける必要があった。また、「液体を入れたペットボトルを使って行うトレーニング運動」と縄跳び運動を一人が同時に行う事は不可能であり、それぞれを別々に行っていた。また既存の運動具の中には、筋力トレーニング効果をより高めるために、縄跳びのグリップにおもりを付加した運道具もあるが、グリップと縄跳び用ロープの取り付け角度が一つに固定されており、容易に変更することはできなかった。さらに、その種の運動具はグリップ全体の重量を使用者の体力や目的に合わせて自由に変更したり細かく微調整することはできなかった。
【先行技術文献】
【非特許文献】
【０００３】
【非特許文献１】JAMA. 2004 Oct；20 「Repetitive Bilateral Arm Training and                      Motor Cortex Activation in Chronic Stroke」
【非特許文献２】Neuroimage. 2003 Feb；18(2):324-33
【非特許文献３】Neuroimage. 2004 Jun ; 22(2):904-11
【発明の概要】
【発明が解決しようとする課題】
【０００４】
従来の技術や方法における問題点および課題は、以下に挙げることができる。
（イ）   実際の日常生活で経験する身体的運動とは、「身体の様々な筋肉と脳や神経を連携させて行う動作」が殆どであるため、従来のペットボトルやダンベル等による部分的な筋力トレーニング（単純な反復運動）と並行して、「身体各部の筋肉や脳および神経等を連関させて行う多元的トレーニング」も同時に行える方が「実際の生活に役立つ体力」を得られ、またスポーツにおける様々な連続動作にも柔軟に対応できる能力を養成できる。そのために、「液体を入れたペットボトルを使った両腕のトレーニング運動」を、単純な反復運動ではなく、「もっと両手の動作を意識的に連関させて行う必要のあるリズム運動」に改善できたなら、従来の反復運動に加えて、「脳や筋肉および神経等の協働性を養うトレーニング」も同時に行えるのだが、そのように行うための手軽な方法がなく、容易ではなかった。
(ロ)   「液体を入れたペットボトルを使った両腕のトレーニング運動」を行う際、運動者が「現在行っている運動状態や内容の達成度」を時々刻々目視して、おおまかに現状確認できれば、示された結果によって運動の動機が明確になり、より意欲を持って取り組めるようになるため、従来のように運動に飽きたり退屈に感じたりせず、トレーニングを継続させやすいのだが、そのように行うための手軽な方法がなかった。
（ハ）  「液体を入れたペットボトルを使ったトレーニング運動」を規則正しい周期で敏速に行い続けるためには、時計類を見ながら、あるいは意識してそのように行い続けなければならず、地味な忍耐力を要するため、目的を達成および動機を維持しにくい面があった。
（ニ）  「液体を入れたペットボトルを使ったトレーニング運動」と、縄跳び運動を一人で同時に行うことができれば、相乗作用によって運動効果も時間効率も良くなるのに、実際は実現不可能であった。
（ホ）   既存の運道具の中には、グリップにおもりが入っていて、ある程度の筋力トレーニングができる縄跳び運動具も存在するが、縄跳び用ロープとグリップの取り付け角度が一つに固定されているため、これを使用して鍛えることのできる筋肉部位の組み合わせや範囲は限定されてしまう。
（ヘ）   既存の運動具の中には、グリップにおもりが入っていて、重量の異なるおもりに数種類付け替えられる縄跳び運道具も存在するが、グリップ全体の重量を使用者の体力やトレーニングの目的に合わせて自由に重くしたり軽くしたり細かく微調整はできないため、使用者にとって最適な重さやトレーニングの程度を選択する上で限界があった。
本発明は、以上の課題を解決するためになされたものである。
【課題を解決するための手段】
【０００５】  ペットボトルを着脱自在に連結可能な一体化手段を有する連結用部材３上に複数の接続孔４を設け、そのうちの一つの孔にロープ１の一端５を挿通し、部材３の内部で一端５を回転子２の中空部８に挿入し、留め具Ｃで着脱自在に固定する。これを同様にロープ１の他の一端６についても行うことにより、ロープ１の両端に部材３を回転子２を介して着脱自在に枢着固定する。その後、部材３それぞれに液体の入ったペットボトル１１を一つずつ連結し、使用者がペットボトルそれぞれを握持して両手を同時に回転させるトレーニング運動を行った際に、ペットボトルの動きに連動して旋回するロープ１を使用者の両腕の間に旋回させた場合は、両手の動作を意識的に同期させて相互調整しながらロープ１の旋回を維持することにより、「ペットボトルを使ったトレーニング運動」を左右同期的かつ周期的に行う。また、ロープ１を使用者の前方あるいは上方に旋回させた場合は、ロープ１の軌道を目視確認しながら両手の動作を意識的に連関させて、ロープ１の旋回軌道を調整および維持することにより、「ペットボトルを使ったトレーニング運動」を左右連関的かつ周期的に行う。また、ロープ１を使用者の上下前後に旋回させた場合は、使用者がロープ１の旋回周期に合わせて跳躍運動を行うことにより、「ペットボトルを使った周期的なトレーニング運動」と並行して同時に縄跳び運動を行う。また、使用途中に、回転子２と部材３を枢着固定していた接続孔４を変更して、両者を異なる部位の接続孔４にて枢着固定すれば、ロープ１とペットボトル１１の取り付け角度Ｌが変化し、それに応じて両手を回転させる時にペットボトルの中心軸Ｍが地面１３となす角度Ｒも調整する必要が生じ、その結果、「親指の骨と橈骨のなす角度」あるいは「前腕部における橈骨の角度」も変化して、当該トレーニング運動を行う際に使用する筋肉部位やその範囲、および身体各部にかかる力の割合も変化する事になるため、変更前とは異なる部位や範囲の筋肉をトレーニングする事が可能となる、また、ペットボトル１１に入れる液体量を自由に変更することによって、使用者の体力や目的に合った最適な重量によるトレーニングを行うこともできる。本発明は以上の構成よりなるペットボトル運動相補用旋回ロープである。 
【発明の効果】
【０００６】
本発明を使用して「ペットボトルを使った両腕のトレーニング運動」を行い、ロープを「運動者の両腕の間」に旋回させると、従来の方法で行っていた当該運動(単純な反復運動）を「左右同期的なリズム運動」へと誘導して行うことが手軽にできるため、「身体の部分的な筋力増強トレーニング」に加えて、「脳や筋肉および神経を協働させるトレーニング」も同時に行うことが出来る。これは、日常生活やスポーツにおける諸動作に対応するための「総合的な体力」の養成に役立つ。また、「肩甲骨およびその周辺」を回転させるリズム運動を行えば、連動する骨盤の調整にもつながり、基礎代謝や内臓、自律神経等、身体の器官活動に良い影響をもたらす。また従来は、背筋やその周辺をリズム運動によって回転させ、効果的にトレーニングすることは簡単ではなかったが、本発明を使用すれば手軽に行える。また、本発明の使用を繰り返すことによって、運動者はロープをより「高速」に旋回させることができるようになり、「高速」で円滑に旋回するロープに合わせて左右のリズム運動を行うことは非常に楽しい。さらに、運動中に「旋回するロープ」の状態を目視確認することによって、運動者が「今どれだけリズミックに左右同期的な回転動作ができているか」を時々刻々、おおまかに確認することができるため、例えばロープが２分間「敏速、円滑に」旋回すれば、その２分間における運動の「内容、質的達成度」は良好であると自信を持つことができる。このように指標を得られることは、運動を継続しようとする動機を明確に強化し、「運動に飽きたり退屈に感じたり」することを防止する。
また、運動者がロープを「運動者の前方あるいは上方」に旋回させる場合は、ロープを旋回させるための中心点が一つではなく左右両手の二点存在するため、円滑にロープを旋回させるためには左右の回転動作を意識的に連関させて相互調整しながら、目視確認によってロープの軌道を整え続ける努力が必要であり、このように、「ロープの次の軌道を予測したりイメージしながら両手の動作をそれに合わせて調整すること」は間接的な脳のトレーニングとなり、また、身体の左右対称部位を意識的に連関させて行う一連の動作は自律神経のトレーニングとなる。このように多元的なトレーニングを連携させて行うことによって上記同様に、筋力トレーニングに加えて「脳や筋肉および神経の協働性を養うトレーニング」も同時に行うことができる。また、この場合も上記同様、「ロープの旋回状態」を目視確認することによって、運動者は「今どれだけリズミックに左右連関的な回転動作ができているか」を自覚し、それを指標として「運動への動機」を高めることができる。
また、運動者が自分の身体の上下前後にロープを旋回させる場合は、ロープの両端に取り付けられたペットボトルが縄跳びにおけるグリップの役割も果たしており、これによって「ペットボトルを使った両腕のトレーニング運動」をすると同時に並行して縄跳び運動をすることもできる。このように、ペットボトルと旋回するロープが互いに補い合うことで、縄跳び運動という有酸素運動とペットボトルを使った筋肉運動という異なる二つの運動を同時に一人で行うことが可能になる。さらに、本発明の使用によって行う縄跳び運動には、「両腕全体の回転幅の増加」を必要とする場合があり、手首を重点的に回転させる従来の縄跳び運動の枠を越え、腕や上半身を「より広範囲に」運動させることができる。本発明にて、このように異なる二つの運動を同時に行うことによって、それぞれの運動を別々に行うよりも多面的な相乗効果をもたらす。また、日々の日常生活において、二つの異なる運動を別々に行うよりも所要時間が半分前後で済むため、時間効率が良く、非常に有益である。また、いずれの場合においても使用者(運動者)は、ペットボトルと連動して旋回するロープの回転周期に合わせて両腕を回転させたり跳躍したりすることになるため、自然に「ペットボトルを使ったトレーニング運動」そのものが、「左右連関的で敏速なリズム運動」に誘導および維持されるようになり、時計類を使用して運動周期およびペースの管理を行ったり意識したりしなくてもトレーニングの内容や質が「一定の良好な状態」に保たれるので、より明確な動機や自信を持ってトレーニング運動に集中できる。また、「旋回するロープや、ペットボトル内部の液体」の遠心力が作用することによって両腕の回転がさらに推進される相乗効果もあり、上記複数要因の結果、同じ時間内の比較で、ペットボトルを使用した運動によるトレーニング効果は従来よりも増大する。また、ペットボトルを高速で回転させて二重跳び等を行うと、上半身の筋肉や心肺機能に対して非常に効果的な全身トレーニングとなり、このような運動は本発明の使用によってこそ成し得るものである。また、ロープとペットボトルの取り付け角度が変更可能な構造であるため、これを変更することによって、「ペットボトルおよび両腕を回転させる際に使用する筋肉部位の範囲」や「身体各部にかかる力の割合」も変わるため、腕や胸の筋肉を鍛えたり、脇や背筋を鍛えたり等、変更前後で身体の異なる部位のいろいろな筋肉を鍛えることが可能である。また、ペットボトルを逆方向に握持したり、手首を前に倒すことによっても同様の効果を得られる（図９、図２０参照）。これらの点において、既存の運動具、例えばグリップにおもりを付加した縄跳び運動具と比べても、「トレーニング可能な筋肉の部位や範囲」において「より多くの選択肢」を持っているため、「身体の同じ部位や範囲ばかりに偏ったトレーニング」を行い続けることによって発症するスポーツ障害などの体調不良も防止できる。また、本発明の使用者が力の弱い人や子供であれば、ペットボトルの液体量を非常に少なくすれば良いし、非常に力の強い人ならばペットボトルに砂を入れて重くしたり、さらに大きなサイズ（２Lサイズ等）のペットボトルを使用するという方法もあり、使用者がそれぞれの体力や目的に合わせて自由にペットボトルの重さを変更および微調整して自分にとって最適なトレーニングの程度を選択することができる。また、本発明の構成にはグリップに相当する部材が含まれていないため、外出時に本発明を携行する際でも、例えば、従来の縄跳び具やダンベルのようにグリップがかばんの中でかさばったり、重かったり、ポケットからはみ出したりすることがなく便利である。本発明の携行時には折りたたんで小さくしてポケットに入れて持ち歩き、どこかで飲料用に購入したペットボトルを取り付けて使用すれば良い。また、ペットボトルにはいろいろな形や種類、色のものが販売されているため、本発明の使用者はその日の気分や好みによって、本発明に取り付けるペットボトルの形や種類、色を選択、変更することができる。これは小さな事ではあるが、趣味趣向における楽しみの一つとなり、日々のトレーニングを継続しようとする動機やきっかけの一つとなり得る。
【図面の簡単な説明】
【０００７】
【図１】本発明の使用状態を示した断面図である。
【図２】本発明の使用状態を示した断面図である。
【図３】本発明の使用状態を示した断面図である。
【図４】本発明の使用状態を示した断面図である。
【図５】本発明の使用状態を部分的に示した断面図である。
【図６】本発明の使用状態を示した断面図である。
【図７】本発明の使用状態を部分的に示した断面図である。
【図８】本発明の使用状態を示した断面図である。
【図９】本発明の使用状態を示した断面図である。
【図１０】本発明の他の実施例を示した部分断面図である。
【図１１】本発明の他の実施例を示した部分断面図である。
【図１２】本発明の他の実施例を示した部分断面図(斜視図)である。
【図１３】本発明の他の実施例を示した斜視図である。
【図１４】本発明の他の実施例を示した部分断面図である。
【図１５】本発明の使用方法を示した斜視図である。
【図１６】本発明の使用方法を示した斜視図である。
【図１７】本発明の使用方法を示した斜視図である。
【図１８】本発明の使用方法を示した斜視図である。
【図１９】本発明の使用方法を示した斜視図である。
【図２０】本発明の使用方法を示した斜視図である。
【図２１】本発明の全体斜視図である。
【発明を実施するための形態】
【０００８】  以下、本発明を実施するための形態について説明する。ペットボトルを着脱自在に連結可能な一体化手段を有する円筒キャップ状の連結用部材３上に複数の接続孔４を設け、そのうちの一つの孔にロープ１の一端５を外部から挿通し、部材３の内部で一端５を回転子２の中空部８に挿入し、留め具Ｃで着脱自在に固定する。これを同様にロープ１の他の一端６についても行うことにより、ロープ１の両端に部材３を回転子２を介して着脱自在に枢着固定する。なお、回転子２は接続孔４の内径より大きな径部を有する部材であり、部材３は適切な強度を有する弾性素材で形成し、各部がペットボトルに対して適切な寸法に設計され、その端部内周には凸凹状の弾性部７が周設されている。   なお他例として、 回転子２を二つ用意し、ロープ１の両端５、６それぞれを回転子２の中空部８に挿入して着脱自在に留め具Ｃで固定することによりロープ１の両端に回転子２を配設し、その後、ペットボトルを着脱自在に連結可能な一体化手段を有する円筒キャップ状の連結用部材３を二つ用意し、部材３上の任意の部位に任意の数だけ設けた接続孔４の一つに回転子２それぞれを圧入したり、あるいは接続孔４と回転子２の双方にネジ山を螺刻し、回転子２を接続孔４に螺合および螺入して部材３の内部に落とし込むことによって、ロープ１の両端に部材３を着脱自在に枢着固定することも可能である。このように、実施形態における部分的な順序や方法に関しては、特定の実施形態のみに限定するものではない。  その後ロープ１両端の連結用部材３それぞれを、液体を入れたペットボトル１１の口頸部にキャップ９の上からかぶせて圧入すると、部材３の端部に弾性張力が生じて凸凹状の弾性部７がペットボトルのフランジ部１０を咬持しながら、ペットボトルの中心軸Ｍ方向への弾性素材の圧力でフランジ部１０とキャップ９周囲を挟圧することにより、ペットボトル１１を部材３に固定することができる。                      
【０００９】
その後、本発明の使用者が二つのペットボトル１１を図１のように握持し、図１５に示すように、両手を矢印Ｐの方向に同時に回転させると、ロープ１がペットボトルおよび腕の回転に連動して、使用者前方にある矢印ｅ、ｆ、ｇ、ｈ、の方向に旋回し、ロープ１上を動く点Ｓは使用者の両腕に平行に存在する円Ｚの円周上に軌道を描く。このとき、使用者は左右両手の回転動作を意識的に同期させながら相互調整して、ロープが円滑に旋回するように努力し、軌道を保って旋回するロープの旋回周期に合わせて両腕およびペットボトルを回転し続けることによって、「ペットボトルを使った両腕のトレーニング運動」を左右同期的なリズム運動として行うことができる。このとき、使用者がもし、「肘の角度」と「手首の角度」を固定したままで両腕を回転させれば、矢印Ｏに示すように、「肩甲骨およびその周辺」を回転運動させるトレーニングも行える。なお、この一連の動作はもちろん矢印の逆方向にも実施可能である。また、この使用法の場合は、「使用者の顔面にロープが接触しないような」長さのロープ１を回転子２に取り付けて使用する。さらに、ペットボトル１１のキャップ９は口頸部にしっかりと螺合してあり、液体が漏れることはないものとする。（なお、運動終了時には、ペットボトル１１を片手で握って、部材３をもう一方の手で強く引っ張れば両者を取り外すことができる。）
【００１０】
また、使用者が二つのペットボトル１１を図１のように握持し、図１６に示すように、両手を矢印Ｐの方向に同時に回転させると、ロープ１がペットボトルおよび腕の回転に連動して、使用者背面上方にある矢印ｅ、ｆ、ｇ、ｈ、の方向に旋回し、ロープ１上を動く点Ｓは、「使用者の後方かつ両腕に平行に存在する円Ｚ」の円周上に軌道を描く。このときも、使用者は左右両手の回転動作を意識的に同期させながら相互調整して、ロープが円滑に旋回するように努力し、軌道を保って旋回するロープの旋回周期に合わせて両腕およびペットボトルを回転し続けることによって、「ペットボトルを使った両腕のトレーニング運動」を左右同期的なリズム運動として行うことができる。また、この使用法によって特に背筋を効果的にトレーニングすることが可能である。なお、この一連の動作はもちろん矢印の逆方向にも実施可能であり、また、この使用法の場合は、「使用者の後頭部にロープが接触しないような」長さのロープ１を回転子２に取り付けて使用する。さらに、ロープの旋回軌道を目視で確認しにくければ、鏡を使うと良い。なお、図１５，１６に示した「ロープ１の旋回方向および軌道」は一つの例であり、これ以外に実施可能な方向や軌道があれば、使用者はロープ１を任意の方向に自由に旋回させて本発明を使用すれば良い。
【００１１】
また、使用者が二つのペットボトル１１を図２のように握持し、図１７に示すように、両手を矢印Ｐの方向（使用者から見て右回転）に同時に回転させると、ロープ１がペットボトルおよび腕の回転に連動して、使用者前方にある矢印Ｅ、Ｆ、Ｇ、Ｈの方向に旋回し、ロープ１上を動く点Ｓは「使用者に対して平行かつ前面に存在する円Ｑ」の円周上に軌道を描く。このとき、使用者はロープ１の軌道が不安定にならないように目視確認し、「どのようにすれば軌道が良くなるか」をイメージしながら、左右両手の回転動作を意識的に連関および相互調整してロープが円滑に旋回するように努力し、軌道を保って旋回するロープの旋回周期に合わせて両腕およびペットボトルを回転し続けることによって、「ペットボトルを使用した両腕のトレーニング運動」を左右連関的なリズム運動として行うことが可能である。なお、この一連の動作はもちろん矢印の逆方向にも実施可能である。また、この使用法の場合、「使用者が円滑にロープを旋回できるような長さ」のロープ１を回転子２に取り付けて使用する。もし使用時において、周囲に充分なスペースがなかったり、部屋が狭くて運動が行いにくい場合は、回転子２に取り付けるロープ１を短いものに付け替えれば、より小さなスペースで本発明を使用できるので便利である。
【００１２】
また、使用者が二つのペットボトル１１を図８のように握持し、図１８に示すように、両手を矢印Ｐの方向に同時に回転させると、ロープ１がペットボトルおよび腕の回転に連動して使用者上方にある矢印Ｅ、Ｆ、Ｇ、Ｈの方向に旋回し、ロープ１上を動く点Ｓは「使用者に対して上面に存在する円Ｑ」の円周上に軌道を描く。このとき、使用者はロープ１の軌道が不安定にならないように目視確認し、「どのようにすれば軌道が良くなるか」をイメージしながら、左右両手の回転動作を意識的に連関および相互調整して、ロープが円滑に旋回するように努力し、軌道を保って旋回するロープの旋回周期に合わせて両腕およびペットボトルを回転し続けることによって、「ペットボトルを使用した両腕のトレーニング運動」を左右連関的なリズム運動として行うことが可能である。なお、この一連の動作はもちろん矢印の逆方向にも実施可能である。また、この使用法の場合も、「使用者が円滑にロープを旋回できるような」任意の長さのロープ１を回転子２に取り付けて使用する。もし使用時において、周囲に充分なスペースがなかったり、部屋が狭くて運動が行いにくい場合は、回転子２に取り付けるロープ１を短いものに変更すれば、より小さなスペースで本発明を使用できるので便利である。なお、図１７，１８に示した「ロープ１の旋回方向および軌道」は一つの例であり、これ以外に実施可能な方向や軌道があれば、使用者はロープ１を任意の方向に自由に旋回させて本発明を使用すれば良い。
【００１３】
また、使用者が二つのペットボトル１１を図４のように握持し、図１９、２０に示すように、両手を矢印Ｐの方向に同時に回転させると、腕の回転に連動してロープ１が使用者前方の矢印Ｖの方向に旋回してくるため、使用者はこれに身体が触れないように跳躍して飛び越え、ロープ１を使用者背面下方の矢印Ｗの方向に逃がし、ロープ１はその後、矢印Ｘ、Ｙに示される軌道を描いて使用者の背面上方から前方に旋回し、再び矢印Ｖの付近に接近する。このように一連の動作を繰り返し、旋回するロープ１のタイミングに合わせて両腕の回転および跳躍運動をすることにより、「ペットボトルを使用したトレーニング運動」と同時に、並行して縄跳び運動を行うことも可能となる。なお、この一連の動作はもちろん矢印の逆方向にも実施可能であり、回転子２に取り付けるロープ１は「使用者が縄跳び運動を行いやすい」長さのものを取り付ける。また、身長や好みに合わせて付け替えても良い。
【００１４】
また図１７に示すような使用方法において、運動の途中に、回転子２と部材３を枢着固定している接続孔４を、例えば図２にて使用されている接続孔４から、図３にて使用されている別部位の接続孔４に変更すれば、ロープ１および回転子２の中心軸Ｎとペットボトルの中心軸Ｍのなす角度Ｌが変化し、それに応じて両腕を回転させる時にペットボトルの中心軸Ｍが地面１３となす角度Ｒも調整する必要があるため角度Ｒも必然的に変化し、その結果「ペットボトルを握持する際の前腕部における親指の骨と橈骨のなす角度Ｄ」が変化し、それに応じて両手を回転させる際に使用する筋肉部位やその範囲、および身体各部にかかる力の割合も変化するため、接続孔４を変更する前とは異なった部位や範囲の筋肉をトレーニングすることが可能となる。
【００１５】
また図１９に示すような使用方法において、運動の途中に、回転子２と部材３を枢着固定している接続孔４を、例えば図４，５にて使用されている接続孔４から、図６，７にて使用されている別部位の接続孔４に変更すれば、ロープ１および回転子２の中心軸Ｎとペットボトルの中心軸Ｍのなす角度Ｌが変化し、それに応じて両腕を回転させる時にペットボトルの中心軸Ｍが地面１３となす角度Ｒも調整する必要があるため角度Ｒも必然的に変化し、その結果「ペットボトルを握持する際の前腕部における橈骨の角度」が変化し、それに応じて両手を回転させる際に使用する筋肉部位やその範囲、および身体各部にかかる力の割合も変化するため、接続孔４を変更する前とは異なった部位や範囲の筋肉をトレーニングすることが可能となる。
【００１６】
また、図６にて使用されている接続孔４と、図９にて使用されている接続孔４は部材３上の同じ部位にあるが、使用者がペットボトルを逆さまに持つことにより、図６の使用状態と図９の使用状態では前述の角度Ｒが変化しており、このように使用することによって上記同様に、身体の異なった部位や範囲の筋肉をトレーニングすることが可能となる。
【００１７】
また、図１９にて使用されている接続孔４と、図２０にて使用されている接続孔４は部材３上の同じ部位にあるが、図１９と図２０では使用者の親指の骨と橈骨がなす角度Ｄが異なっており、このように手首の角度を変更して使用することにより、上記同様に、身体の異なった部位や範囲の筋肉をトレーニングすることが可能となる。
【００１８】
以下、他の実施例を説明する。
本発明の実施において、ペットボトル連結用部材３をプラスチックや金属などの剛性素材で形成しても良い。その場合図１０に示すように、レバー部１４ａとフック部１４ｂで構成される挟持用部材１４一対を ペットボトル連結用部材３の円筒壁部に貫通させ、部材３に設けた支軸１６で回転可能に軸支して部材３の円筒壁部とレバー部１４ａの間に所要の弾性力を有する弾性体１７を弾設する。これによって部分円筒面を有する一対のフック部１４ｂがペットボトルのフランジ部１０を挟持して、部材３にペットボトル１１を着脱自在に固定することができる。その後、「部材３に設けた回転子出し入れ用の孔２２」を経て接続孔４に取り付けられた回転子２とロープ１を使用して、上記同様にトレーニングを行うことができる。
【００１９】
また、他例として図１１に示すように、円筒キャップ状の部材３ｂの端部内周にペットボトルの雄ネジ部１８と嵌合可能な雌ネジ部１９を螺刻して、部材３ｂをペットボトル１１に螺合し、部材３ｂの上面にも雄ネジ部を設ける。さらに、「回転子２を着脱自在に枢着可能な接続孔４を有する円筒キャップ状の部材３ａ」の端部内周にも雌ネジ部を螺刻して部材３ｂと螺合し、部材３ａと部材３ｂを一体化する。その後、部材３ａに枢着されている回転子２とロープ１を使用して上記同様にトレーニングを行うことができる。なお、部材３ａと部材３ｂは剛性素材で形成されているものとする。
【００２０】
また、他例として図１２に示すように、「回転子２を着脱自在に枢着可能な接続孔４を有する有底円筒状の部材３ｃ」の下部に連結軸２１を介して設けた球体２０を、円筒キャップ状の連結用部材３上部に設けた球体把持部３ｄにて傾動自在に保持し、部材３端部内周の凸凹状弾性部７でペットボトルのフランジ部１０とキャップ９の周囲を係止および挟圧して、部材３にペットボトル１１を着脱自在に固定する。さらに球体把持部３ｄに設けたネジ孔にネジ２３を螺入して球体２０を押止することにより、ロープ１および回転子２の中心軸Ｎがペットボトルの中心軸Ｍに対してなす角度Ｌの変更および固定を可能にし、使用者が上記同様にトレーニングを行う際、角度Ｌを自由に決定できる構造とする。なお各部材は、所要の弾性素材や剛性素材、あるいはその複合にて形成する。
【００２１】
また、他例として図１３、１４に示すように、所要の弾性力を有する円環帯状の弾性体２４に円形の孔Ｋを貫設し、その上から、回転子２を着脱自在に枢着可能な接続孔４を有する連結用部材３を冠着して固定する。その後、弾性体２４を、ペットボトル１１の任意の部位に巻着することによって、ペットボトル１１を部材３に着脱自在に固定し、上記同様にトレーニングを行う。なお、図１３は部材３をペットボトル１１の側面に取り付けた場合であり、図１４は部材３をペットボトル１１のキャップ９上面に取り付けた場合である。このようにして部材３を取り付ける方向を変えることにより上記同様に、身体の異なった部位や範囲の筋肉をトレーニングすることが可能となる。
【符号の説明】
【００２２】
1    ロープ
2    回転子
3    ペットボトル連結用部材
3a    ペットボトル連結用部材の回転子係止部
3b    ペットボトル連結用部材の螺合部
3c    ペットボトル連結用部材の回転子係止部
3d    ペットボトル連結用部材の球体把持部
4    接続孔
5    ロープの一端
6    ロープの一端
7    凸凹状弾性部
8    回転子の中空部
9    キャップ
10   フランジ部
11   ペットボトル
12   手
13   地面
14   ペットボトル挟持用部材
14a   １４のレバー部
14b   １４のフック部
16   支軸
17   弾性体
18   ペットボトルの雄ネジ部
19   3bの雌ネジ部
20   球体部
21   連結軸
22   回転子出し入れ用の孔
23   球体押止用ネジ
24   円環帯状弾性体
ｅ    ロープの旋回方向を示す矢印
ｆ    ロープの旋回方向を示す矢印
ｇ    ロープの旋回方向を示す矢印
ｈ    ロープの旋回方向を示す矢印
Ａ   キャップ上面の中心点
Ｂ   ペットボトル底面の中心点
Ｃ   留め具
Ｄ   親指の骨と橈骨がなす角度
Ｅ   ロープの旋回方向を示す矢印
Ｆ   ロープの旋回方向を示す矢印
Ｇ   ロープの旋回方向を示す矢印
Ｈ   ロープの旋回方向を示す矢印
Ｋ   ２４に貫設された孔
Ｌ   ペットボトルに対してロープおよび回転子がなす角度(直線ＭとＮがなす角度）
Ｍ   ペットボトルの中心軸
Ｎ   ロープおよび回転子の中心軸
Ｏ   本発明の使用者の「肩甲骨とその周辺」の運動方向を示す矢印
Ｐ   本発明の使用者の、両手の運動方向を示す矢印
Ｑ   ロープの旋回軌道を示す円
Ｒ   ペットボトルの中心軸Ｍが地面となす角度
Ｓ   ロープ上を動く点
Ｖ   ロープの旋回方向を示す矢印
Ｗ   ロープの旋回方向を示す矢印
Ｘ   ロープの旋回方向を示す矢印
Ｙ   ロープの旋回方向を示す矢印
Ｚ   ロープの旋回軌道を示す円
【図１】
0005500700.tif 000002
【図２】
0005500700.tif 000003
【図３】
0005500700.tif 000004
【図４】
0005500700.tif 000005
【図５】
0005500700.tif 000006
【図６】
0005500700.tif 000007
【図７】
0005500700.tif 000008
【図８】
0005500700.tif 000009
【図９】
0005500700.tif 000010
【図１０】
0005500700.tif 000011
【図１１】
0005500700.tif 000012
【図１２】
0005500700.tif 000013
【図１３】
0005500700.tif 000014
【図１４】
0005500700.tif 000015
【図１５】
0005500700.tif 000016
【図１６】
0005500700.tif 000017
【図１７】
0005500700.tif 000018
【図１８】
0005500700.tif 000019
【図１９】
0005500700.tif 000020
【図２０】
0005500700.tif 000021
【図２１】
0005500700.tif 000022